(57)【要約】      （修正有）【課題】使用者が液体を人体の各部位に塗布するのをサポートすると共に、調節機能を有して、使用面で利便性が向上する可調節液体塗布器を提供する。【解決手段】湾曲、伸縮の調節機能を有する可調節バー１と、該可調節バーに接続してその内部に収容スペースを有する充填本体２と、を含み、前記充填本体に塗布面２５を形成させ、前記塗布面上に前記収容スペースと連通する液体流出部２４を有する。【選択図】図１
0003160789.tif 000002
【実用新案登録請求の範囲】
【請求項１】
可調節バーと、前記可調節バーに接続してその内部に収容スペースを有する充填本体と、を含み、
前記充填本体に塗布面が形成されており、前記塗布面上に前記収容スペースと連通する液体流出部を有することを特徴とする、可調節液体塗布器。
【請求項２】
可調節バーは、伸縮可能なバーであることを特徴とする、請求項１に記載の可調節液体塗布器。
【請求項３】
可調節バーは、少なくとも２本の相互に接合された、長さの調節が可能なバーを含むことを特徴とする、請求項２に記載の可調節液体塗布器。
【請求項４】
可調節バーは、可撓性を有するバーであることを特徴とする、請求項1又は２に記載の可調節液体塗布器。
【請求項５】
可調節バーは、蛇腹管構造を有するバー又は可撓性素材からなるバーであることを特徴とする、請求項４に記載の可調節液体塗布器。
【請求項６】
充填本体は注入口を有し、前記注入口は蓋で密閉されることを特徴とする、請求項1に記載の可調節液体塗布器。
【請求項７】
収容スペース内に乳液又は薬液である液体が収容されることを特徴とする、請求項1に記載の可調節液体塗布器。
【請求項８】
液体流出部は少なくとも１つの貫通孔と、前記貫通孔に枢設された少なくとも１つのボールで構成されることを特徴とする、請求項１に記載の可調節液体塗布器。
【請求項９】
前記液体流出部は複数個の微細孔で構成されることを特徴とする、請求項１に記載の可調節液体塗布器。
【請求項１０】
可調節バーは中空のパイプであって液体を収容する容器に接続され、前記液体は前記可調節バーを経由して充填本体の収容スペースに給送されることを特徴とする、請求項１に記載の可調節液体塗布器。
【請求項１１】
可調節液体塗布器はペン形状であり、充填本体は円錐体であり、充填本体の液体流出部は貫通孔と前記貫通孔に枢設されたボールで構成されることを特徴とする、請求項１に記載の可調節液体塗布器。
【請求項１２】
充填本体は可調節バーの一端に接続されることを特徴とする、請求項１に記載の可調節液体塗布器。
【考案の詳細な説明】
【技術分野】
【０００１】
本考案は液体塗布器に関し、特に湾曲や伸縮の調節が可能で、液体の人体各部位への塗布をサポートする可調節液体塗布器に関する。
【背景技術】
【０００２】
乳液（例：保湿乳液、スキンケア乳液、日焼け止め乳液）や薬液等の液体は、ケア、保護、治療等の目的で、人体各部位への塗布に幅広く使用されている。従来の人体に塗布する液体の大半は開口を設けた容器内に入れられ、使用する際は、その開口を通じて容器内の液体を手につけて人体に塗布している。
【考案の概要】
【考案が解決しようとする課題】
【０００３】
液体を人体の各部位に塗布することができるものの、従来の手につけて塗布する方法では、背中等の部位へは往々にして塗布し難く、他人のサポートがないとスムーズに塗布することができないため使用面で不便がある。また、容器内の液体を手につけると手に不快感が残り、これを洗浄したり拭き取ったりする手間も使用面で不便となっている。
【０００４】
また、一部の液体用容器では直接人体に塗布することができる設計がなされて、液体を手につける必要はないものの、この容器を使用した場合でも人体の背中等の部位には同様に塗布が容易ではない。
【０００５】
本考案は上記の事情に鑑みてなされたものであり、液体を人体の各部位に塗布する際に、使用に大変便利な湾曲、伸縮の調節機能を有し、使用者の液体の塗布をサポートする可調節液体塗布器を提供することを目的とする。
本考案の別の目的は、液体を直接人体に塗布することができ、使用面で利便性が向上する可調節液体塗布器を提供することにある。
【課題を解決するための手段】
【０００６】
上記目的を達成するため、本考案は、湾曲、伸縮の調節機能を有する可調節バーと、可調節バーに接続してその内部に収容スペースを有し、塗布面を形成すると共に塗布面上に上記収容スペースと連通する液体流出部を設けた充填本体とで可調節液体塗布器を構成している。
【考案の効果】
【０００７】
以上の説明から明らかなように、本考案にあっては以下の効果が得られる。可調節バーと、充填本体とで構成されているので、使用者が液体を人体の各部位に塗布する際、特に人体の背中等の塗布し難い部位塗布する場合、他人のサポートを必要とせずにスムーズに塗布し終えることができる。
【０００８】
さらに、本考案においては、充填本体の液体流出部から液体を直接人体に塗布することができ、液体を手につける必要がないため、手に不快感が残ることがないので、洗浄したり拭き取ったりする必要がなく、使用面で利便性が向上する。
【図面の簡単な説明】
【０００９】
【図１】本考案を実施するための最良の第１実施形態の概略斜視図である。
【図２】本考案を実施するための最良の第１実施形態の断面概略図である。
【図３】本考案を実施するための最良の第１実施形態の使用状態を表した概略図である。
【図４】本考案を実施するための最良の第２実施形態の概略斜視図である。
【図５】本考案を実施するための最良の第３実施形態の概略斜視図である。
【図６】本考案を実施するための最良の第４実施形態の概略斜視図である。
【図７】本考案を実施するための最良の第５実施形態の概略斜視図である。
【図８】本考案を実施するための最良の第６実施形態の概略斜視図である。
【考案を実施するための形態】
【００１０】
以下、本考案の実施形態を図面に基づいて説明する。
（第１実施形態）
本考案における可調節液体塗布器は、図１、図２に示すとおり、可調節バー１と充填本体２からなり、このうち可調節バー１は可撓性を有する棒状のバー又は伸縮可能な棒状のバーであり、中空若しくは中空でないバーでよい。また、その材質には制限がなく、プラスチック、金属或いはその他の材質でもよい。
【００１１】
本考案の第１実施形態では、可調節バー１は可撓性を有する棒状のバーで、蛇腹管構造１１を有し、湾曲して調節することができる。なお、第１実施形態における可調節バー１は可撓性素材でできたバーでも、或いは内部、外部に可撓性素材を結合したバーでもよい。
【００１２】
充填本体２は一体成形または組合せによって可調節バー１に接続させる。組合せの方法で接続する際は、可調節バー１の一端に接続部１４を形成させ、充填本体２を可調節バー１の接続部１４に接続する。例えば、充填本体２にネジ孔（図示せず）を事前に設け、接続部１４はネジ孔に対応するスタッド（図示せず）に成型し、スタッドとネジ孔を相互に螺合して接続させる。もしくは、充填本体２に貫通孔（図示せず）を事前に設け、接続部１４を貫通孔に対応するスタッド（図示せず）に成型し、スタッドと貫通孔を互いに嵌合して接続させる。なお、充填本体２と可調節バー１の接続部１４の接続方法には制限がなく、上述した接続方法以外に、接着、高周波接合或いはその他の方法で接続させてもよい。
【００１３】
充填本体２の材質は、プラスチック、金属、或いはその他の材質でもよい。また、形状は、円形、楕円形、方形、多角形、或いはその他各種の形状でもよい。すなわち、本考案における充填本体２は、中空で液体３を収容することができるものであれば、その材質及び形状については制限がない。充填本体２内部には液体３を収容するための収容スペース２１を有する。なお、収容スペース２１の大きさ及び容量には制限がない。液体３は人体に塗布する目的の液体であり、液体の種類には制限がなく、各種乳液、薬液、又はその他の種類の液体でもよい。
【００１４】
充填本体２は注入口２２を有する。液体３は注入口２２を経由して充填本体２の収容スペース２１内に充填することができる。また、蓋２３を注入口２２に螺接するなどして注入口２２を密閉する。注入口２２の設置位置に制限はないが、使用の妨げにならない位置であることが必要である。本実施形態における注入口２２は充填本体２の後側、つまり注入口２２は可調節バー１の一側面に接続して設けられる。
【００１５】
充填本体２は液体流出部２４を有する。本実施形態での液体流出部２４は充填本体２の前側に設けられている。つまり充填本体２の前側に塗布面２５を形成させる。なお、塗布面２５は、人間工学の観点から、快適に人体の肌に接触させることができるような弧度や曲面を有する事が好ましい。液体流出部２４は塗布面２５に設けるが、液体流出部２４と塗布面２５の設置位置には制限がなく、人体に塗布できればよい。液体流出部２４は少なくとも１つの円形の貫通孔２４１と貫通孔２４１上に枢設された少なくとも１つのボール２４２で構成され、液体流出部２４と収容スペース２１とは連通している。本実施形態では、液体流出部２４は複数個の貫通孔２４１とそれぞれ貫通孔２４１上に枢設された複数個のボール２４２とで構成され、ボール２４２は回転自在に対応するように貫通孔２４１上に設けられ、ボール２４２と貫通孔２４１の間は適度な間隙を形成する。貫通孔２４１は充填本体２の内部と外部を貫通することにより、液体流出部２４は収容スペース２１と連通することができ、液体３を人体の各部位に均等に塗布する様に、収容スペース２１内の液体３をガイドして貫通孔２４１とボール２４２の間の間隙を通って外部に滲み出させることができる。
【００１６】
図３に示す様に、本考案の可調節液体塗布器を使用する際、使用者は可調節バー１を握り持つことができると共に、充填本体２の液体流出部２４で人体の各部位に塗布するために、必要に応じて可調節バー１を適度に湾曲させて、充填本体２を必要に応じて任意の角度に自由に転向させることができ、液体流出部２４を経由して流出する液体３を人体の各部位に塗布することができる。
【００１７】
本考案によると、使用者が液体を人体の各部位に塗布する際、特に人体の背中等の塗布し難い部位塗布する場合、他人のサポートを必要とせずにスムーズに塗布し終えることができる。また、充填本体２の液体流出部２４から直接液体３を人体に塗布することができ、液体３を手につける必要がないことから、手に不快感が残ることがないので、洗浄したり拭き取ったりする必要がなく、使用面で利便性が向上する。
（第２実施形態）
【００１８】
本考案における可調節液体塗布器の第２実施形態は、図４に示すように、充填本体２の液体流出部２４は複数個の微細孔２４３で構成され、微細孔２４３は間隔を置いて設けられ、充填本体２の内部と外部を貫通することにより、液体流出部２４が収容スペース２１と連通することができ、液体３を人体の各部位に均一に塗布するように、収容スペース２１内の液体３をガイドして微細孔２４３から外部に滲み出させることができる。微細孔２４３の孔径サイズは制限が無く、微細孔２４３の孔径サイズの変化を利用して液体３が外部に滲み出る量を制御することができる。
（第３実施形態）
【００１９】
本考案における可調節液体塗布器の第３実施形態は、図５に示すように、可調節バー１は少なくとも２本の相互に接合された円形のバー１２と１３を含む伸縮可能なバーである。本実施形態では、異なる口径である中空の２本のバー１２と１３を含み、口径が大きめなバー１３は口径が小さめのバー１２の外部に接合して２本のバー１２、１３は相互に一つに接合されて２段式の可調節バー１を形成し、自由に伸縮して長さを調節することができる。可調節バー１を異なる長さに調節するのに都合がよく、使用に便利である。勿論、この可調節バーは３又は４本の相互に接合されたバー（図示せず）でも構成されることができ、多段式の可調節バー１を形成する。バー１２、１３は伸縮させて長さを調節した後、バー１２と１３の間の摩擦力で固定することができる。また、バー１２と１３の間に適当な螺合部材（図示せず）を取り付けて固定することもできる。
（第４実施形態）
【００２０】
本考案における可調節液体塗布器の第４実施形態は、図６に示すように、可調節バー１は可撓性を有し、伸縮可能なバーであり、少なくとも２本の相互に接合された異なる口径の中空のバー１２と１３を含み、互いに一つに接合して伸縮の調節をすることができ、可調節バー１を異なる長さに調節するのに都合がよい。また、バー１２は可撓性を有する蛇腹管構造１１をしたバーで、湾曲させて調節することができる。本実施形態の可調節バー１は湾曲や伸縮の調節が可能な機能を兼備している。
（第５実施形態）
【００２１】
上記の各実施形態では、液体３は充填本体２の収容スペース２１内に充填するが、液体３の供給方法はこれに制限されない。図７の本考案の第５実施形態では、液体３は先ず開口４１を有する一般の容器４内に入れられる。本実施形態では、可調節バー１は中空のバーで、充填本体２は可調節バー１の一端に接続されて、充填本体２の収容スペース２１は可調節バー１の内部と通じることで、可調節バー１は液体給送管路を形成することができる。可調節バー１の他端は螺接または係合して容器４の開口４１に接続することによって、本考案の可調節液体塗布器は容器４を外付けすることができる。こうして容器４内の液体３は可調節バー１を経由して充填本体２の収容スペース２１内に給送され、さらに充填本体２の液体流出部２４から人体に塗布される。本実施形態は容器４を外付けして液体３を充填本体２内に注入するが、他の方法によって充填本体２へ直接液体３を注入してもよく、可調節バー１を通して液体３を注入してもよい。
（第６実施形態）
【００２２】
図８の本考案の第６実施形態では、可調節液体塗布器はペン形状で、可調節バー１は可撓性を有する棒状のバーで、湾曲して調節することができる。充填本体２は可調節バー１の一端に接続された円錐体で、その外形はペン形状で、充填本体２の液体流出部２４は貫通孔２４１と貫通孔２４１上に枢設されたボール２４２で構成され、可調節液体塗布器はペンに似た外形をしている。
【符号の説明】
【００２３】
１    可調節バー
１１  蛇腹管構造
１２  バー
１３  バー
１４  接続部
２    充填本体
２１  収容スペース
２２  注入口
２３  蓋
２４  液体流出部
２４１貫通孔
２４２ボール
２４３微細孔
２５  塗布面
３    液体
４    容器
４１  開口
【図１】
0003160789.tif 000003
【図２】
0003160789.tif 000004
【図３】
0003160789.tif 000005
【図４】
0003160789.tif 000006
【図５】
0003160789.tif 000007
【図６】
0003160789.tif 000008
【図７】
0003160789.tif 000009
【図８】
0003160789.tif 000010